(57)【要約】      （修正有）【課題】給紙装置が備える給紙トレイのサイドフェンスロック機構のロック・解除動作を自動化する。【解決手段】レバーロック機構と自動底板昇降機構と連動させて給紙トレイの挿抜時に自動でロック・解除を行う。サイドフェンスロック部材１１に２つの凸部１１ａ、１１ｂを設けて底板４の端部を上下に挟む。給紙トレイ１の引出時、底板４が下降し、底板４の端部が凸部１１ｂと衝突し、サイドフェンスロック部材１１が回転し、給紙トレイ１とサイドフェンスロック部材１１の嵌合が解除され、サイドフェンスのロックも解除される。給紙トレイ１の挿入時、底板４が上昇し、底板４の端部が凸部１１ａと衝突し、サイドフェンスロック部材１１が反対方向へ回転し、サイドフェンスロック部材１１ａ、１１ｂ間の嵌合部１１ｃに底板４の端部が挿入され、サイドフェンスが給紙トレイ１にロックされる。【選択図】図３
2011131957.tif 000002
【特許請求の範囲】
【請求項１】
画像形成装置本体に装着され、給紙方向と直交する方向に引き出し及び挿入可能な給紙トレイに、
用紙搬送基準から互いに等しい距離を保って給紙方向と直交する方向に移動可能に設けられた収納用紙幅方向を規制するための一対のサイドフェンス、
前記一対のサイドフェンスの少なくとも一方のサイドフェンスを固定するロック部材、
昇降自在に取り付けられ、上昇時に給紙コロに付勢される底板、
前記底板を、前記画像形成装置本体から前記給紙トレイの引出時に下降させ、給紙トレイの挿入時には上昇させる自動底板昇降機構、
を有する画像形成装置において、
前記給紙トレイ挿入時に、前記自動底板昇降機構により前記底板が上昇して前記ロック部材と接触し、前記ロック部材が変位して前記給紙トレイと前記サイドフェンスをロックして移動不能とし、
前記給紙トレイ引出し時に、前記自動底板昇降機構により前記底板が下降して前記ロック部材と接触し、前記ロック部材が変位して該ロックが解除される、
ことを特徴とする画像形成装置。
【請求項２】
画像形成装置本体に装着され、給紙方向と直交する方向に引き出し及び挿入可能な給紙トレイに、
搭載する用紙搬送基準から互いに等しい距離を保って給紙方向と直交する方向に移動可能に設けられ、収納用紙幅方向を規制するための一対のサイドフェンス、
昇降自在で給紙時は給紙コロで下降付勢される底板、
を備え、
前記底板には給紙トレイの画像形成装置の装置本体からの挿抜に連動して昇降させる自動底板昇降機構を搭載し、
該自動底板昇降機構は、
給紙トレイが前記装置本体に挿入されると予めロックされているレバーロック機構がロック解除爪によって押されて回転し、該回転によりロック解除爪のロックが解除され、該ロック解除により、底板押上レバーが加圧スプリングの付勢力により上方へ回動して前記底板を上昇させ、前記給紙コロに最上位紙を当接させ、
その後、給紙トレイ１画像形成装置の装置本体から引き出すことにより、前記底板押上レバーの先端部が前記給紙トレイの切欠き部近傍に設けた突起１により下方に押し下げられ、ロック爪がレバーロック機構に嵌合し、再びロック状態に戻され、前記底板が自重で最下点まで下降する、
ことを特徴とする画像形成装置。
【請求項３】
請求項２の画像形成装置において、前記レバーロック機構と自動底板昇降機構とが連動して給紙トレイの挿抜時に自動で前記ロックと解除が行われるものであり、
前記サイドフェンスをロックするロック部材には２つの凸部を、サイドフェンス組付時に前記底板の端部を上下に挟むように配置し、
前記給紙トレイの前記装置本体からの引出時、前記底板が前記自動底板昇降機構により下降し、前記底板の端部は前記凸部の一方と衝突し、前記サイドフェンスのロック部材が回転し、
該サイドフェンスのロック部材の回転運動により、前記給紙トレイと該ロック部材の嵌合が解除され、前記サイドフェンスのロックも解除される、
ことを特徴とする画像形成装置。
【請求項４】
請求項３の画像形成装置において、前記給紙トレイを前記画像形成装置の装置本体へ挿入時、前記底板が前記自動底板昇降機構により上昇し、
該底板の端部が前記凸部の他方と衝突し、
前記サイドフェンスのロック部材が回転することにより、前記ロック部材の嵌合部の前記給紙トレイの嵌合部に挿入され、前記サイドフェンスが前記給紙トレイにロックされる、
ことを特徴とする画像形成装置。
【請求項５】
請求項１から４のいずれかに記載の画像形成装置において、
前記ロックレバーの材質に高摺動部材を用いたことを特徴とする画像形成装置。
【請求項６】
請求項５に記載の画像形成装置において、
前記ロックレバーの材質がＰＯＭであることを特徴とする画像形成装置。
【発明の詳細な説明】
【技術分野】
【０００１】
本発明は、複写機、プリンタ、ファクシミリ、これらの複合機等の画像形成装置に関し、詳細には給紙装置が備える給紙トレイのサイドフェンスロック機構に関する。
【背景技術】
【０００２】
画像形成装置の装置本体に配した給紙装置の給紙トレイを強くセットした時のサイドフェンスずれ対策として、前後のサイドフェンス両方にロック機構を設ける構成がしばしば取られる。この場合、手前側のロックレバーを付勢タイプ（レバーを摘んでいる時だけロックが解除され、レバーを放すとロックされる）とし、奥側をスイッチタイプ（レバーを手動で回転させてロック・解除を行うタイプ）が取られることが多い。
【発明の概要】
【発明が解決しようとする課題】
【０００３】
ところが、手前側のロックレバーはサイドフェンス操作時のみ摘み、放すことでロックするので、ロック忘れの危険がないが、奥側のロックレバーはロック忘れが生じる危険性が高い。
【０００４】
本発明は、このような問題点にかんがみ、前述のようなロック忘れと、ロック動作の煩雑さ解決するために、ロックレバーのロック・解除動作を自動化した画像形成装置を提供することを目的とする。
【課題を解決するための手段】
【０００５】
本発明の画像形成装置のうち請求項１に係るものは、画像形成装置本体に装着され、給紙方向と直交する方向に引き出し及び挿入可能な給紙トレイに、用紙搬送基準から互いに等しい距離を保って給紙方向と直交する方向に移動可能に設けられた収納用紙幅方向を規制するための一対のサイドフェンス、前記一対のサイドフェンスの少なくとも一方のサイドフェンスを固定するロック部材、昇降自在に取り付けられ、上昇時に給紙コロに付勢される底板、前記底板を、前記画像形成装置本体から前記給紙トレイの引出時に下降させ、給紙トレイの挿入時には上昇させる自動底板昇降機構を有する画像形成装置において、前記給紙トレイ挿入時に、前記自動底板昇降機構により前記底板が上昇して前記ロック部材と接触し、前記ロック部材が変位して前記給紙トレイと前記サイドフェンスをロックして移動不能とし、前記給紙トレイ引出し時に、前記自動底板昇降機構により前記底板が下降して前記ロック部材と接触し、前記ロック部材が変位して該ロックが解除されることを特徴とする。
【０００６】
同請求項２に係るものは、画像形成装置本体に装着され、給紙方向と直交する方向に引き出し及び挿入可能な給紙トレイに、搭載する用紙搬送基準から互いに等しい距離を保って給紙方向と直交する方向に移動可能に設けられ、収納用紙幅方向を規制するための一対のサイドフェンス、昇降自在で給紙時は給紙コロで下降付勢される底板を備え、前記底板には給紙トレイの画像形成装置の装置本体からの挿抜に連動して昇降させる自動底板昇降機構を搭載し、該自動底板昇降機構は、給紙トレイが前記装置本体に挿入されると予めロックされているレバーロック機構がロック解除爪によって押されて回転し、該回転によりロック解除爪のロックが解除され、該ロック解除により、底板押上レバーが加圧スプリングの付勢力により上方へ回動して前記底板を上昇させ、前記給紙コロに最上位紙を当接させ、その後、給紙トレイ１画像形成装置の装置本体から引き出すことにより、前記底板押上レバーの先端部が前記給紙トレイの切欠き部近傍に設けた突起１により下方に押し下げられ、ロック爪がレバーロック機構に嵌合し、再びロック状態に戻され、前記底板が自重で最下点まで下降することを特徴とする。
【０００７】
同請求項３に係るものは、請求項２の画像形成装置において、前記レバーロック機構と自動底板昇降機構とが連動して給紙トレイの挿抜時に自動で前記ロックと解除が行われるものであり、前記サイドフェンスをロックするロック部材には２つの凸部を、サイドフェンス組付時に前記底板の端部を上下に挟むように配置し、前記給紙トレイの前記装置本体からの引出時、前記底板が前記自動底板昇降機構により下降し、前記底板の端部は前記凸部の一方と衝突し、前記サイドフェンスのロック部材が回転し、該サイドフェンスのロック部材の回転運動により、前記給紙トレイと該ロック部材の嵌合が解除され、前記サイドフェンスのロックも解除されることを特徴とする。
【０００８】
同請求項４に係るものは、請求項３の画像形成装置において、前記給紙トレイを前記画像形成装置の装置本体へ挿入時、前記底板が前記自動底板昇降機構により上昇し、該底板の端部が前記凸部の他方と衝突し、前記サイドフェンスのロック部材が回転することにより、前記ロック部材の嵌合部の前記給紙トレイの嵌合部に挿入され、前記サイドフェンスが前記給紙トレイにロックされることを特徴とする。
【０００９】
同請求項５に係るものは、請求項１から４のいずれかに記載の画像形成装置において、前記ロックレバーの材質に高摺動部材を用いたことを特徴とする。
【００１０】
同請求項６に係るものは、請求項５に記載の画像形成装置において前記ロックレバーの材質がＰＯＭであることを特徴とする。
【発明の効果】
【００１１】
手動でサイドフェンスのロック・解除を実施する必要が無くなり、ロックを手動で実施する従来構成のようなロック動作の煩雑さ、ロック忘れのリスクがなくなる。
【図面の簡単な説明】
【００１２】
【図１】装置外観図
【図２】サイドフェンス自動ロック機構斜視図
【図３】サイドフェンス自動ロック機構断面図
【図４】レバーロック機構を用いた自動底板昇降機構の断面図
【図５】他のレバーロック機構の拡大平面図
【発明を実施するための形態】
【００１３】
本発明では、給紙トレイ内の底板を、画像形成装置本体から給紙トレイの引出時には下降させ、給紙トレイの挿入時には上昇させる自動底板昇降機構を有する。給紙トレイ挿入時には、自動底板昇降機構により底板が上昇してロック部材と接触し、ロック部材が変位して給紙トレイとサイドフェンスをロックして移動不能とし、給紙トレイ引出し時に、自動底板昇降機構により底板が下降してロック部材と接触し、ロック部材が変位してロックが解除されるようにするため、サイドフェンスロックレバーに設けた２つの凸部を給紙トレイの引出・挿入時に自動で昇降する底板の端部と衝突させる構成を取ることで、トレイの挿入、引出に連動してサイドフェンスがロック、解除する構成を実現する。手動でサイドフェンスのロック、解除を実施する必要が無くなる。そのため、従来のようなロック動作の煩雑さ、ロック忘れのリスクをなくす。
【００１４】
またロックレバーの材質に高摺動部材ＰＯＭ（ポリアセタール）を用いて、底板昇降連動のサイドフェンスレバーのロック動作の際のレバー動作力を小さくする。これによりレバー動作力大（齧りなどによる）によるロック不良を回避する。
【実施例】
【００１５】
図１は、本発明の実施対象に係る給紙装置と画像形成装置の概要を示す図である。給紙トレイ１は複写機等の画像形成装置の装置本体１００の正面（Ａ面）より出し入れ可能である（フロントローデイング給紙トレイ方式）。装置本体１００内には給紙ローラ装置１０２が設けられ、給紙トレイ１内に収容された用紙１０３は図中の矢印Ｂ方向に給送される。
【００１６】
この給紙トレイ１の中には、用紙搬送基準から互いに等しい距離を保って給紙方向と直交する方向に移動可能に設けられ、収納用紙幅方向を規制するための一対のサイドフェンス２が設置されている。さらにこの給紙トレイ１の中には、昇降自在で給紙時は給紙コロ３で下降付勢される底板４が配置されている。
【００１７】
底板４には給紙トレイ１の挿抜に連動して昇降させる図４に示すような自動底板昇降機構が搭載されている。この機構は、給紙トレイ１が挿入されると予めロックされているレバー５がロック解除爪６によって押されて図４（Ｂ）に示されるように回転し、この回転によりロック爪８ａのロックが解除される。このロック解除により、底板押上レバー８が加圧スプリング７の力により上方へ回動して底板４を上昇させ、送出ローラとしての給紙コロ３に転写紙９の束の最上位紙を当接させる。
【００１８】
その後、オペレータにより給紙トレイ１を紙直角方向に画像形成装置の装置本体１から引き出すことにより、底板押上レバー８の先端部が給紙トレイ１の切欠き部１０近傍に設けた突起１０ａにより下方に押し下げられ、ロック爪８ａがレバー５に嵌合し、再びロック状態に戻される。これにより底板４は自重で最下点まで下降する。
【００１９】
サイドフェンス２には、サイドフェンスロック部材１１を用いたロック機構が設けられており、サイドフェンスロック部材１１と給紙トレイ１の双方に形成された嵌合形状部が嵌合することにより、サイドフェンス２とトレイ１がロックされる。なお底板押上レバー８は例えばＰＯＭ材で構成すると良い。なお、底板押上レバー８の材質であるＰＯＭは一例であって、本発明ではこの材質に限定されない。
【００２０】
また、レバー５は以下の構成で自動底板昇降機構と連動して給紙トレイの挿抜時に自動でロック・解除が行われる。
【００２１】
サイドフェンスロック部材１１には、図２、図３に示すように、２つの凸部が設けられている。この２つの凸部はサイドフェンス組付時に底板４の端部４ａを上下に挟むように配置されている。上側の凸部を第１凸部１１ａ、下側の凸部を第２凸部１１ｂと称する。
【００２２】
まず給紙トレイ１の引出時、底板４は既述の自動底板昇降機構により下降する。この際、底板４の端部４ａは第２凸部１１ｂと衝突する。これにより、図３に示すように、サイドフェンスロック部材１１が図において反時計周りに回転する。このサイドフェンスロック部材１１の回転運動により、給紙トレイ１とサイドフェンスロック部材１１の嵌合が解除され、サイドフェンス２のロックも解除される（図３（Ｃ）の矢印Ｙ部）。
【００２３】
次に給紙トレイ１を画像形成装置の装置本体への挿入時、底板４は自動底板昇降機構により上昇する。この際、底板４の端部４ａは第１の凸部１１ａと衝突する。これにより、図のようにサイドフェンスロック部材１１が時計回りに回転する。このサイドフェンスロック部材１１ａの回転運動により、サイドフェンスロック部材１１ａ、１１ｂ間の嵌合部１１ｃに底板４の端部４ａが挿入され、サイドフェンス２が給紙トレイ１にロックされる（図３（Ａ）の矢印Ｘ部）。
【００２４】
図５は、他のレバーロック機構の拡大図である。図４（Ａ）に相当する状態を示す図５（Ａ）では、レバー５がスプリング７で付勢され、底板押上レバー８の上にかぶさって底板押上レバー８をロックしている。また図４（Ｂ）に相当する状態を示す図５（Ｂ）では、ロック解除爪６でレバー５が押され、スプリング７の付勢に抗して図５（Ａ）と反対側へ回動し、底板押上レバー８のロックが解除されている。
【符号の説明】
【００２５】
１：給紙トレイ
２：サイドフェンス
３：給紙コロ
４：底板
４ａ：底板の端部
５：レバーロック機構
６：ロック解除爪
７：加圧スプリング
８：底板押し上げレバー
８ａ：ロック爪
９：転写紙
１０：トレイ切り欠き部
１１：サイドフェンスロック部材
１１ａ：第１の凸部（上側凸部）
１１ｂ：第２の凸部（下側凸部）
１００：画像形成装置の装置本体
１０２：給紙ローラ装置
１０３：用紙
【先行技術文献】
【特許文献】
【００２６】
【特許文献１】特許第３６９０５２４号公報
【特許文献２】特開２００８−１１５００１号公報
【特許文献３】特許第３１７６４５５号公報
【図１】
2011131957.tif 000003
【図２】
2011131957.tif 000004
【図３】
2011131957.tif 000005
【図４】
2011131957.tif 000006
【図５】
2011131957.tif 000007